(57)【特許請求の範囲】
【請求項１】
電動車が進入するプラットホームの入口から出口の選択された位置に本体（１１０）を設置し、前記本体（１１０）の内部または外部の一側に形成した駆動部材によって前記本体（１１０）に沿って上下に移動するブロック（１２０）を設置した多数のロープ昇降手段（１００）と、前記ブロック（１２０）を相互連結するように水平方向に設置するロープ（２００）とから構成された電動車プラットホーム安全装置において、
前記ブロック（１２０）の内側に、前記ロープ（２００）が循環するように連結する補助ブロック（１５０）を用意し、前記ブロック（１２０）と前記補助ブロック（１５０）との間に、前記補助ブロック（１５０）を外側に移動させて前記ロープ（２００）の張力を調節するための張力調節手段（３００）を含み、
前記張力調節手段（３００）は、
前記ブロック（１２０）の一側から前記補助ブロック（１５０）の一側を貫通するように備えられた支持軸（３１０）と、
前記支持軸（３１０）の他側に設置され、前記補助ブロック（１５０）を外側に移動させるための弾性体（３２０）と、
前記支持軸（３１０）の他端に螺合され、前記弾性体（３２０）を押して移動させるための移動体（３１１）と、
前記ブロック（１２０）と前記補助ブロック（１５０）との間に備えられた誘導軸（３４０）とから構成された、ロープ張力調節手段を備えた電動車プラットホーム安全装置。
【請求項２】
電動車が進入するプラットホームの入口から出口の選択された位置に本体（１１０）を設置し、前記本体（１１０）の内部または外部の一側に形成した駆動部材によって前記本体（１１０）に沿って上下に移動するブロック（１２０）を設置した多数のロープ昇降手段（１００）と、前記ブロック（１２０）を相互連結するように水平方向に設置するロープ（２００）とから構成された電動車プラットホーム安全装置において、
前記ブロック（１２０）の内側に、前記ロープ（２００）が循環するように連結する補助ブロック（１５０）を用意し、前記ブロック（１２０）と前記補助ブロック（１５０）との間に、前記補助ブロック（１５０）を外側に移動させて前記ロープ（２００）の張力を調節するための張力調節手段（３００）を含み、
前記張力調節手段（３００）は、
前記補助ブロック（１５０）の一側から前記ブロック（１２０）の一側を貫通するように備えられた支持軸（３１０）と、
前記支持軸（３１０）の他側に設置され、前記補助ブロック（１５０）を外側に移動させるための弾性体（３２０）と、
前記支持軸（３１０）の他端に螺合され、前記弾性体（３２０）を押して移動させるための移動体（３１１）と、
前記ブロック（１２０）と前記補助ブロック（１５０）との間に備えられた誘導軸（３４０）とから構成された、ロープ張力調節手段を備えた電動車プラットホーム安全装置。

【発明の詳細な説明】
【技術分野】
【０００１】
本発明は、電動車プラットホーム安全装置に係り、さらに詳細には、乗客の出入りを遮断及び開放するためのロープの張力を均一に調節することができるようにした、ロープ張力調節手段を備えた電動車プラットホーム安全装置に関する。
【背景技術】
【０００２】
一般に、電動車プラットホーム安全装置は、電動車が進入するプラットホームに設置され、乗客の出入りを遮断したり開放したりする役割を果たす。このような電動車プラットホーム安全装置は、図１に示すように、電動車が進入するプラットホームの入口から出口の選択された位置に本体１１０を設置し、本体１１０の内部または外部の一側に形成した駆動部材によって本体１１０に沿って上下に移動するブロック１２０を設置した多数のロープ昇降手段１００と、ブロック１２０を相互連結するように水平方向に設置したロープ２００とから構成される。
【０００３】
しかし、図２に示すように、従来ではブロック１２０の内側に垂直方向に形成した多数の調節ボルト１３０を調節してロープ２００の張力を調節しているが、これは、多数の調節ボルト１３０を一々調節しなければならないので、張力調節作業が煩雑で不便であるという問題点を有する。特に、ロープの張力を均一に調節及び維持することができないので、乗客がロープを容易に広げて出入りする深刻な問題点を有する。さらに、調節ボルト１３０及びロープ２００の個数が増加してメンテナンスの効率性を低下させるという問題点を有する。
【０００４】
また、図３に示すように、従来では、ブロック１２０の内側に垂直方向に多数のローラ１４０を形成し、ローラ１４０を循環するように一つのロープ２００を連結した後、ロープ２００の一側の間にばね１４１を設置して張力を調節しているが、これは、季節の変化及び温度の変化によって発生するロープ２００の膨脹及び収縮状態に対する適切な張力調節が難しいという問題点を有する。特に、数十メートルから数百メートルの長さを有するロープ２００の張力をばね１４１の圧縮復元力のみで調節することができないので、機能上の制限があるという問題点を有する。
【０００５】
本発明の背景となる技術は、次の特許文献に開示されている。
【先行技術文献】
【特許文献】
【０００６】
【特許文献１】韓国登録特許公報第１０−０６０１１１２号（２００６．０７．１９）
【特許文献２】韓国登録特許公報第１０−１３０６６４８号（２０１３．０９．２６）
【特許文献３】韓国登録特許公報第１０−１３４４９９５号（２０１３．１２．２４）
【特許文献４】韓国公開特許公報第１０−２０１４−００２９９５０号(２０１４．０３．１１）
【特許文献５】韓国登録韓国特許公報第１０−１３９１４５３号（２０１４．０５．０７）
【発明の概要】
【発明が解決しようとする課題】
【０００７】
本発明の実施例は、上下方向に移動するブロックと、ロープが循環可能に連結された補助ブロックとの間にロープ張力調節手段を備えて補助ブロックを外側に移動させることにより、数十メートルないし数百メートルの長さを有するロープの張力を均一に調節することができるロープ張力調節手段を備えた電動車プラットホーム安全装置を提供することを目的とする。
【課題を解決するための手段】
【０００８】
本発明の実施例によれば、電動車が進入するプラットホームの入口から出口の選択された位置に本体１１０を設置し、その本体１１０の内部または外部の一側に形成した駆動部材によって前記本体１１０に沿って上下移動するブロック１２０を設置した多数のロープ昇降手段１００と、前記ブロック１２０を相互連結するように水平方向に設置したロープ２００とから構成された電動車プラットホーム安全装置において、前記ブロック１２０の内側に、前記ロープ２００が循環するように連結する補助ブロック１５０を用意し、前記ブロック１２０と補助ブロック１５０との間に、前記補助ブロック１５０を外側に移動させてロープ２００の張力を調節するための張力調節手段３００を含む、電動車プラットホーム安全装置が提供できる。
【０００９】
前記張力調節手段３００は、前記ブロック１２０の一側から前記補助ブロック１５０の一側を貫通するように形成した支持軸３１０と、前記支持軸３１０の他側に設置し、前記補助ブロック１５０を外側に移動させるための弾性体３２０とから構成できる。
【００１０】
または、前記張力調節手段３００は、前記補助ブロック１５０の一側から前記ブロック１２０の一側を貫通するように形成する支持軸３１０と、前記支持軸３１０の他側に設置し、前記補助ブロック１５０を外側に移動させるための弾性体３２０とから構成できる。
【００１１】
このような張力調節手段３００は、前記支持軸３１０の他端に螺合し、前記弾性体３２０を押して移動させるための移動体３１１を含むことができる。
【００１２】
一方、前記張力調節手段３００は、前記ブロック１２０と補助ブロック１５０との間に形成して前記補助ブロック１５０を外側に移動させるための弾性体３３０から構成されることもできる。
【００１３】
本発明の実施例に係る電動車プラットホーム安全装置は、前記ブロック１２０と前記補助ブロック１５０との間に誘導軸３４０が備えられ得る。
【発明の効果】
【００１４】
本発明の実施例に係る電動車プラットホーム安全装置は、数十メートルから数百メートルの長さを有するロープの張力を同時に均一に調節することができるという効果がある。特に、ロープの張力を均一に調節、維持することにより、乗客が容易にロープを広げて鉄路に出入りする安全事故問題を事前に防止することができる。
【００１５】
また、構造が簡単でメンテナンスが容易であるので、使用効率を向上させることができる。
【図面の簡単な説明】
【００１６】
【図１】一般的な電動車プラットホーム安全装置の構造を示す概路図である。
【図２】従来技術に係る電動車プラットホーム安全装置用ロープ張力調節手段を示す構成図である。
【図３】従来技術に係る電動車プラットホーム安全装置用ロープ張力調節手段を示す構成図である。
【図４】本発明のロープ張力調節手段を備えた電動車プラットホーム安全装置の第１実施例を示す構成図である。
【図５】本発明のロープ張力調節手段を備えた電動車プラットホーム安全装置の第２実施例を示す構成図である。
【図６】本発明のロープ張力調節手段を備えた電動車プラットホーム安全装置の第３実施例を示す構成図である。
【発明を実施するための形態】
【００１７】
以下、添付図面を参照して本発明の好適な実施例を説明する。
【００１８】
本発明に係るロープ張力調節手段を備えた電動車プラットホーム安全装置が図４ないし図６に示されている。図４は第１実施例を、図５は第２実施例を、図６は第３実施例をそれぞれ示す。
【００１９】
本発明は、電動車が進入するプラットホームの入口から出口の選択された位置に本体１１０を設置し、本体１１０の内部または外部の一側に形成した駆動部材によって前記本体１１０に沿って上下移動するブロック１２０を設置した多数のロープ昇降手段１００と、前記ブロック１２０を相互連結するように水平方向に設置するロープ２００とからなる電動車プラットホーム安全装置において、前記ブロック１２０の内側に、前記ロープ２００が循環するように連結する補助ブロック１５０を用意し、前記ブロック１２０と補助ブロック１５０との間に、前記補助ブロック１５０を外側に移動させてロープ２００の張力を調節するための張力調節手段３００を含む。
【００２０】
本発明において、前記ロープ昇降手段１００及びロープ２００の作動原理及び構造は当業界に広く知られている公知の技術なので、詳細な叙述は省略することとする。
【００２１】
一方、本発明は、前記ブロック１２０の内側に補助ブロック１５０が位置するように用意し、前記補助ブロック１５０を全体的に外側に移動させることにより、結果的には前記ロープ２００の張力を調節することができる。
【００２２】
ここで、前記補助ブロック１５０の内側に垂直方向に多数のローラ１５１を形成することで、一つのロープ２００が全体的に循環しながら連結することができる。
【００２３】
したがって、前記ブロック１２０は上下方向に移動し、前記補助ブロック１５０は前記ロープ２００を連結した状態で、前記張力調節手段３００の作動で前記補助ブロック１５０を外側に移動させ、結果的に前記補助ブロック１５０の移動距離に備えて数十メートルから数百メートルの長さを有するロープ２００の張力を均一に調節及び維持することができる。
【００２４】
そして、前記張力調節手段３００の第１実施例は、図４に示すように、前記ブロック１２０の一側から前記補助ブロック１５０の一側を貫通するように形成する支持軸３１０と、前記支持軸３１０の他側に設置し、前記補助ブロック１５０を外側に移動させるための弾性体３２０とからなる。
【００２５】
この際、前記支持軸３１０は、前記弾性体３２０の弾性力で移動する前記補助ブロック１５０が左右方向に円滑に移動することができるように誘導する。
【００２６】
すなわち、前記支持軸３１０の一側は前記ブロック１２０の一側に固定し、前記支持軸の他側は前記補助ブロック１５０の一側を貫通するように形成して、前記弾性体３２０が前記補助ブロック１５０を外側に押して移動させることにより、ロープ２００の張力を均一に調節及び維持することができる。
【００２７】
ここで、前記支持軸３１０の他側は前記弾性体３２０と当接して支持した状態で、前記弾性体３２０の弾性力によって前記補助ブロック１５０を外側に押して移動させることができる。
【００２８】
また、前記張力調節手段３００の第２実施例は、図５に示すように、前記補助ブロック１５０の一側から前記ブロック１２０の一側を貫通するように形成する支持軸３１０と、前記支持軸３１０の他側に設置し、前記補助ブロック１５０を外側に移動させるための弾性体３２０から構成される。
【００２９】
したがって、前記支持軸３１０の一側は前記補助ブロック１５０の一側に固定し、前記支持軸の他側は前記ブロック１２０の一側を貫通するように形成して、前記弾性体３２０が前記補助ブロック１５０を外側に押して移動させることにより、ロープ２００の張力を均一に調節及び維持することができる。
【００３０】
ここで、前記支持軸３１０の他側は前記弾性体３２０と当接して支持した状態で、前記弾性体３２０の弾性力によって前記支持軸３１０を外側に引いて補助ブロック１５０を移動させることができる。
【００３１】
本発明において、前記弾性体３２０は、圧縮ばねを用いて前記補助ブロック１５０を外側に移動させて前記ロープ２００の張力を均一に調節及び維持することができる。
【００３２】
しかも、前記支持軸３１０の他端に螺合し、前記弾性体３２０を押して移動させて前記弾性体３２０の圧縮力を増大させるための移動体３１１を含むことができる。
【００３３】
この際、前記移動体３１１は、前記支持軸３１０の他端に螺合できるようにナットまたは別途の加工した構成で製作することができる。
【００３４】
一方、前記張力調節手段３００の第３実施例は、図６に示すように、前記ブロック１２０と補助ブロック１５０との間に形成して前記補助ブロック１５０を外側に移動させるための弾性体３３０からなる。
【００３５】
この際、前記弾性体３３０は、引張ばねを用いて前記補助ブロック１５０を外側に移動させて前記ロープ２００の張力を均一に調節及び維持することができる。
【００３６】
本発明において、前記ブロック１２０と補助ブロック１５０との間に誘導軸３４０を形成することができるが、これは、上下方向に移動する前記ブロック１２０と、外側に移動しながら張力を調節する補助ブロック１５０との間を連結して、前記補助ブロック１５０が外側または内側に移動するように誘導することはもとより、前記ブロック１２０が上下方向に移動する過程で前記補助ブロック１５０を支持して同時に円滑に上下方向に移動するように補助する。
【００３７】
この際、前記誘導軸３４０は、前記ブロック１２０の一側に固定し、前記補助ブロック１５０を貫通することができることはもとより、前記補助ブロック１５０の一側に固定し、前記ブロック１２０を貫通することができる。
【００３８】
以上、本発明の実施例について詳細に説明したが、本発明の権利範囲はこれに限定されるものではなく、本発明の実施例と実質的に均等な範囲にあるものまで本発明の権利範囲に含まれることはいうまでもない。
【図１】
0006282788.tif 000002
【図２】
0006282788.tif 000003
【図３】
0006282788.tif 000004
【図４】
0006282788.tif 000005
【図５】
0006282788.tif 000006
【図６】
0006282788.tif 000007